(57)【要約】【課題】突き当てコネクタに収容した突き当て型の端子金具を簡単に回路基板上の接点パターンに接続することができ、しかも、突き当てコネクタの搬送時等に端子金具が変形することを防止することができる突き当てコネクタの基板接続構造を提供すること。【解決手段】突き当てコネクタ２０は、端子金具１０をその先端を突出させて保持したインナーハウジング２１と、該インナーハウジング２１を突き当て方向に沿って移動自在に収容するアウターハウジング２３と、アウターハウジング２３内のインナーハウジング２１を突き当て方向に付勢する弾発部材２４と、端子金具１０の先端がアウターハウジング２３内に引っ込んだ状態にインナーハウジング２１を仮係止する仮係止機構２５と、を備え、回路基板に取り付けられるコネクタ係止部材は、突き当てコネクタ２０を係止する際に、仮係止機構２５による仮係止を解除する仮係止解除手段を備える。【選択図】図４
2014154285.tif 000002
【特許請求の範囲】
【請求項１】
先端に接点接触片が突設された突き当て型の端子金具を収容した突き当てコネクタと、回路基板に取り付けられて前記突き当てコネクタの先端が前記回路基板の表面に当接又は近接した状態に前記突き当てコネクタを係止するコネクタ係止部材と、を備え、前記突き当てコネクタを前記コネクタ係止部材に係止させることで、前記突き当てコネクタ内の前記端子金具を前記回路基板の表面の接点パターンに突き当てた状態を得る突き当てコネクタの基板接続構造であって、
前記突き当てコネクタは、前記接点接触片を先端から突出させた状態に前記端子金具を保持したインナーハウジングと、該インナーハウジングを前記端子金具の突き当て方向に沿って移動自在に収容するハウジング収容部を有したアウターハウジングと、前記アウターハウジング内の前記インナーハウジングを前記端子金具の突き当て方向に付勢する弾発部材と、前記インナーハウジングを前記弾発部材に抗して前記ハウジング収容部内で後退させたときに前記接点接触片が前記アウターハウジング内に引っ込んだ状態となる位置で前記インナーハウジングを前記ハウジング収容部内に仮係止する仮係止機構と、を備え、
前記コネクタ係止部材は、前記突き当てコネクタを係止する際に、前記仮係止機構による仮係止を解除する仮係止解除手段を備えていることを特徴とする突き当てコネクタの基板接続構造。
【請求項２】
前記仮係止機構は、前記ハウジング収容部の内側面に沿って前記インナーハウジングの外側面から前記突き当て方向と逆方向に延出した弾性片と、該弾性片の先端に突設されて前記ハウジング収容部の内側面に凹んで形成された仮係止用凹部に係合することで前記インナーハウジングを仮係止位置に停止させる仮係止突起と、を備え、
前記仮係止解除手段は、前記突き当てコネクタを前記コネクタ係止部材に係止させる際に、前記ハウジング収容部の内側面と前記弾性片との間に進入する板状部を備え、前記板状部により前記弾性片を前記ハウジング収容部の内側面から離間する方向に撓ませて、仮係止を解除する、
ことを特徴とする請求項１に記載の突き当てコネクタの基板接続構造。
【発明の詳細な説明】
【技術分野】
【０００１】
本発明は、突き当てコネクタに収容されている突き当て型の端子金具を回路基板の表面の接点パターンに突き当てて接続する突き当てコネクタの基板接続構造に関する。
【背景技術】
【０００２】
図１５は、下記特許文献１に開示された突き当てコネクタを示したものである。
この突き当てコネクタ１００は、樹脂製のハウジング１０１に突き当て型の端子金具１１０を収容したものである。
【０００３】
突き当て型の端子金具１１０は、図１６に示すように、先端に接点接触片１１１が突設されている。接点接触片１１１は、波形状のばね板１１２の先端部を折り曲げたもので、ばね板１１２の弾性変形により、突き当て方向と逆方向（図１５の矢印Ｘ１方向）に弾性変位可能である。
【０００４】
ハウジング１０１は、その先端１０１ａから端子金具１１０の先端の接点接触片１１１を突出させた状態に、端子金具１１０を支持している。
【０００５】
特許文献１の突き当てコネクタ１００は、該突き当てコネクタ１００と雌雄一対となる相手コネクタに嵌合させた際に、相手コネクタに収容されている端子金具の先端に接点接触片１１１が突き当たって、相手コネクタ内の端子金具と突き当てコネクタ１００内の端子金具１１０とが導通状態に接続される。
【先行技術文献】
【特許文献】
【０００６】
【特許文献１】特表平１０−５０４６７６号公報
【発明の概要】
【発明が解決しようとする課題】
【０００７】
ところが、特許文献１の突き当てコネクタ１００は、収容している端子金具１１０を回路基板上の接点に接続する場合には、予め、回路基板上の接点に、突き当てコネクタ１００と対をなす相手コネクタを半田付けしておかなければならず、回路基板への接続に手間がかかるという問題があった。
【０００８】
また、特許文献１の突き当てコネクタ１００は、端子金具１１０の接点接触片１１１がハウジング１０１の先端１０１ａから常時突出した状態にあるため、搬送時等に接点接触片１１１が外部の機材と衝突して、端子金具１１０の変形を招くおそれもあった。
【０００９】
そこで、本発明の目的は、上記課題を解消することに係り、突き当てコネクタに収容した突き当て型の端子金具を簡単に回路基板上の接点パターンに接続することができ、しかも、突き当てコネクタの搬送時等に端子金具が変形することを防止することができる突き当てコネクタの基板接続構造を提供することにある。
【課題を解決するための手段】
【００１０】
本発明の前述した目的は、下記の構成により達成される。
（１）  先端に接点接触片が突設された突き当て型の端子金具を収容した突き当てコネクタと、回路基板に取り付けられて前記突き当てコネクタの先端が前記回路基板の表面に当接又は近接した状態に前記突き当てコネクタを係止するコネクタ係止部材と、を備え、前記突き当てコネクタを前記コネクタ係止部材に係止させることで、前記突き当てコネクタ内の前記端子金具を前記回路基板の表面の接点パターンに突き当てた状態を得る突き当てコネクタの基板接続構造であって、
前記突き当てコネクタは、前記接点接触片を先端から突出させた状態に前記端子金具を保持したインナーハウジングと、該インナーハウジングを前記端子金具の突き当て方向に沿って移動自在に収容するハウジング収容部を有したアウターハウジングと、前記アウターハウジング内の前記インナーハウジングを前記端子金具の突き当て方向に付勢する弾発部材と、前記インナーハウジングを前記弾発部材に抗して前記ハウジング収容部内で後退させたときに前記接点接触片が前記アウターハウジング内に引っ込んだ状態となる位置で前記インナーハウジングを前記ハウジング収容部内に仮係止する仮係止機構と、を備え、
前記コネクタ係止部材は、前記突き当てコネクタを係止する際に、前記仮係止機構による仮係止を解除する仮係止解除手段を備えていることを特徴とする突き当てコネクタの基板接続構造。
【００１１】
（２）  前記仮係止機構は、前記ハウジング収容部の内側面に沿って前記インナーハウジングの外側面から前記突き当て方向と逆方向に延出した弾性片と、該弾性片の先端に突設されて前記ハウジング収容部の内側面に凹んで形成された仮係止用凹部に係合することで前記インナーハウジングを仮係止位置に停止させる仮係止突起と、を備え、
前記仮係止解除手段は、前記突き当てコネクタを前記コネクタ係止部材に係止させる際に、前記ハウジング収容部の内側面と前記弾性片との間に進入する板状部を備え、前記板状部により前記弾性片を前記ハウジング収容部の内側面から離間する方向に撓ませて、仮係止を解除する、
ことを特徴とする上記（１）に記載の突き当てコネクタの基板接続構造。
【００１２】
上記（１）の構成によれば、突き当てコネクタは、回路基板に取り付けられたコネクタ係止部材に係止させるまでは、仮係止機構によって、インナーハウジングを仮係止させておくことができる。そして、インナーハウジングが仮係止されている状態では、インナーハウジングに保持されている突き当て型の端子金具は、該端子金具の先端の接点接触片がアウターハウジング内に引っ込んだ状態に維持されている。従って、突き当てコネクタの搬送時等に、端子金具の先端に外部の機材が衝突することを回避して、端子金具が変形することを防止することができる。
【００１３】
また、上記（１）の構成によれば、突き当てコネクタは、回路基板に取り付けられたコネクタ係止部材に係止させると、コネクタ係止部材に備えられている仮係止解除手段により、インナーハウジングの仮係止状態が解除される。そして、仮係止状態が解除されたインナーハウジングは、弾発部材による付勢力で端子金具の突き当て方向に押し出され、インナーハウジングに保持されている突き当て型の端子金具の先端が回路基板表面の接点パターンに突き当てられて、突き当てコネクタ内の端子金具が回路基板表面の接点パターンに導通接続された状態となる。即ち、上記（１）の構成によれば、回路基板へのハンダ付け作業が必要となる基板用コネクタが不要なため、突き当てコネクタに収容した突き当て型の端子金具を簡単に回路基板上の接点パターンに接続することができる。
【００１４】
また、上記（１）の構成によれば、弾発部材による付勢力が解除されて、端子金具の接点接触片が回路基板表面の接点パターンに突き当てられたときの衝撃で、接点接触片及び接点パターンの表面に存在していた酸化皮膜が破壊されて除去される。これにより、導通時の抵抗上昇を抑制することができる。
【００１５】
上記（２）の構成によれば、コネクタ係止部材に備える仮係止解除手段は、突き当てコネクタのハウジング収容部の内側面に沿って延出する単純な板状部で済むため、コネクタ係止部材の構造を単純化することができる。
【発明の効果】
【００１６】
本発明による突き当てコネクタの基板接続構造によれば、突き当てコネクタに収容した突き当て型の端子金具を簡単に回路基板上の接点パターンに接続することができ、しかも、突き当てコネクタの搬送時等に端子金具が変形することを防止することができる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は本発明に係る突き当てコネクタの基板接続構造の一実施形態の概略構成を示す分解斜視図である。
【図２】図２は図１の突き当てコネクタに収容される突き当て型の端子金具の拡大斜視図である。
【図３】図３は図１に示した回路基板の突き当てコネクタを接続する表面の構成を示す斜視図である。
【図４】図４は図１に示した突き当てコネクタの分解斜視図である。
【図５】図５は図１に示した突き当てコネクタの正面図である。
【図６】図６は図５のＡ−Ａ断面図で、端子金具が装着されていない状態の説明図である。
【図７】図７は図５のＡ−Ａ断面図である。
【図８】図８は図５のＢ−Ｂ断面図である。
【図９】図９は図５のＣ−Ｃ断面図である。
【図１０】図１０は一実施形態の突き当てコネクタが回路基板上のコネクタ係止部材に装着途中の状態を示す縦断面図である。
【図１１】図１１は図１０のＤ−Ｄ断面図である。
【図１２】図１２は一実施形態の突き当てコネクタが回路基板上のコネクタ係止部材に装着完了した状態の縦断面図である。
【図１３】図１３は図１２のＥ−Ｅ断面図である。
【図１４】図１４は図１３のＦ部の拡大図である。
【図１５】図１５は従来の突き当てコネクタの縦断面図である。
【図１６】図１６は図１５に示した端子金具の一部断面した拡大斜視図である。
【発明を実施するための形態】
【００１９】
以下、本発明に係る突き当てコネクタの基板接続構造の好適な実施形態について、図面を参照して詳細に説明する。
【００２０】
図１〜図１４は本発明に係る突き当てコネクタの基板接続構造の一実施形態を示したもので、図１は一実施形態の突き当てコネクタの基板接続構造の概略構成を示す分解斜視図、図２は図１の突き当てコネクタに収容される突き当て型の端子金具の拡大斜視図、図３は図１に示した回路基板の突き当てコネクタを接続する表面の構成を示す斜視図、図４は図１に示した突き当てコネクタの分解斜視図、図５は図１に示した突き当てコネクタの正面図、図６は図５のＡ−Ａ断面図で、端子金具が装着されていない状態の説明図、図７は図５のＡ−Ａ断面図、図８は図５のＢ−Ｂ断面図、図９は図５のＣ−Ｃ断面図、図１０は一実施形態の突き当てコネクタが回路基板上のコネクタ係止部材に装着途中の状態を示す縦断面図、図１１は図１０のＤ−Ｄ断面図、図１２は一実施形態の突き当てコネクタが回路基板上のコネクタ係止部材に装着完了した状態の縦断面図、図１３は図１２のＥ−Ｅ断面図、図１４は図１３のＦ部の拡大図である。
【００２１】
この一実施形態の突き当てコネクタの基板接続構造は、図１に示すように、突き当て型の端子金具１０（図２参照）を収容した突き当てコネクタ２０と、回路基板３０に取り付けられて突き当てコネクタ２０を係止するコネクタ係止部材４０と、を備える。そして、この一実施形態の突き当てコネクタの基板接続構造は、突き当てコネクタ２０をコネクタ係止部材４０に係止させることで、突き当てコネクタ２０内の端子金具１０を回路基板３０表面の接点パターン３１（図３参照）に突き当てた状態を得る。
【００２２】
端子金具１０は、図２に示すように、金属板のプレス成形品で、角筒状に形成された端子本体１１と、この端子本体１１の先端に突設された接点接触片１２と、端子本体１１の基端側に形成された電線接続部１３と、を備えている。接点接触片１２は、図７に示すように、端子本体１１を形成している上部壁板部１１ａから延出したばね板部１１ｂの先端に一体形成されている。
【００２３】
接点接触片１２は、回路基板３０に突き当てられた際に、ばね板部１１ｂの弾性変形によって、突き当て方向と逆側（図７の矢印Ｘ２方向）に弾性変形可能である。電線接続部１３は、電線１５の芯線に圧着される芯線加締め片１３ａと、電線１５の外被の上に加締め付けられて電線１５の固定を行う外被加締め片１３ｂと、を備えている。
【００２４】
回路基板３０は、多層基板で、図３に示すように、突き当てコネクタ２０が突き当てられる側の表面３０ａに、複数の接点パターン３１と、コネクタ係止部材４０を取り付けるための係止部材取付孔３２と、が備えられている。
【００２５】
接点パターン３１は、端子金具１０の接点接触片１２を突き当てる平面状の導体部である。
【００２６】
係止部材取付孔３２は、角形の貫通孔で、複数の接点パターン３１が配列された領域の両側に、それぞれ１つずつ設けられている。
【００２７】
突き当てコネクタ２０は、図４に示すように、端子金具１０を保持するインナーハウジング２１と、インナーハウジング２１の先端に嵌合装着されるフロントホルダ２２と、インナーハウジング２１を収容するアウターハウジング２３と、インナーハウジング２１を付勢する弾発部材２４と、アウターハウジング２３内のインナーハウジング２１を仮係止する仮係止機構２５と、を備えている。
【００２８】
インナーハウジング２１は、図５〜図７に示すように、上下２段に配列された複数の端子収容孔２１ａと、端子収容孔２１ａに挿入された端子金具１０に係合して端子金具１０を抜け止めする端子係止ランス２１ｂと、を備えている。
【００２９】
インナーハウジング２１は、端子収容孔２１ａに挿入された端子金具１０を、図７に示すように、接点接触片１２が先端から突出した状態に保持する。
【００３０】
フロントホルダ２２は、インナーハウジング２１に端子金具１０を装着する前に、図６に示すように、インナーハウジング２１の先端部に嵌合装着される。図６に示した状態は、フロントホルダ２２がインナーハウジング２１の先端部に仮止めされた状態である。そして、フロントホルダ２２は、インナーハウジング２１の端子収容孔２１ａに端子金具１０を抜け止めさせた後、図７に示すようにインナーハウジング２１内に押し込まれて、インナーハウジング２１に本係止された状態になる。
【００３１】
フロントホルダ２２は、インナーハウジング２１に本係止されたときに、端子係止ランス２１ｂの撓み変位を許容するランス逃げ空間２１ｃに進入して、端子係止ランス２１ｂの変位を規制するランス規制部２２ａを有している。また、フロントホルダ２２は、インナーハウジング２１に本係止されたときに、端子金具１０の先端側を保持する。
【００３２】
なお、図７に示すように、フロントホルダ２２をインナーハウジング２１に本係止された状態で、端子金具１０の接点接触片１２は、フロントホルダ２２の先端面から突出している。
【００３３】
アウターハウジング２３は、図８及び図９に示すように、インナーハウジング２１を端子金具１０の突き当て方向（図８の矢印Ｘ３方向）に沿って移動自在に収容するハウジング収容部２３ａを有している。
【００３４】
ハウジング収容部２３ａは、図８及び図９に示すように、インナーハウジング２１及びフロントホルダ２２の外周面との間に、所定幅の隙間Ｓ１，Ｓ２を残す大きさに設定されている。
隙間Ｓ１，Ｓ２は、後述するコネクタ係止部材４０の板状部が進入可能な空間である。
【００３５】
弾発部材２４は、図９に示すように、圧縮コイルばねで、アウターハウジング２３とインナーハウジング２１との間に圧縮状態で配置される。この弾発部材２４は、アウターハウジング２３内の前記インナーハウジング２１を前記端子金具１０の突き当て方向（図９の矢印Ｘ４方向）に付勢する。
【００３６】
仮係止機構２５は、図８に示すように、インナーハウジング２１に一体形成された仮係止片２５１と、ハウジング収容部２３ａの上下の内側面２３１に凹んで形成された仮係止用凹部２５２と、で構成される。
【００３７】
仮係止片２５１は、ハウジング収容部２３ａの内側面２３１に沿ってインナーハウジング２１の外側面から突き当て方向と逆方向（図８の矢印Ｙ３方向）に延出した弾性片２５１ａと、該弾性片２５１ａの先端に突設された仮係止突起２５１ｂと、を備えている。仮係止突起２５１ｂは、仮係止用凹部２５２に係合することで、インナーハウジング２１を仮係止位置に停止させる。
【００３８】
以上に説明した仮係止機構２５は、インナーハウジング２１を弾発部材２４に抗してハウジング収容部２３ａ内で後退させたときに、接点接触片１２がアウターハウジング２３内に引っ込んだ状態となる位置で、仮係止突起２５１ｂが仮係止用凹部２５２に係合して、インナーハウジング２１をハウジング収容部２３ａ内に仮係止する。
【００３９】
本実施形態の場合、仮係止片２５１の弾性片２５１ａには、仮係止状態を解除するときに利用される仮係止解除用隆起部２６が、隙間Ｓ１内に突出して形成されている。
【００４０】
コネクタ係止部材４０は、回路基板３０の係止部材取付孔３２に係合して回路基板３０への固定を果たす一対の基板係止片４１と、上下一対の板状部４２ａ，４２ｂと、左右一対の板状部４２ｃ．４２ｄと、本係止用孔４３と、を備えている。
【００４１】
上下一対の板状部４２ａ，４２ｂの両端縁は、左右一対の板状部４２ｃ．４２ｄの両端縁に連なり、インナーハウジング２１の外周に嵌合する角筒構造を形成している。
【００４２】
上下一対の板状部４２ａ，４２ｂは、突き当てコネクタ２０をコネクタ係止部材４０に係止させる際に、図１０に示すように、ハウジング収容部２３ａの内側面２３１とインナーハウジング２１との間の隙間Ｓ１に進入して、仮係止を解除する仮係止解除手段である。隙間Ｓ１に進入したそれぞれの板状部４２ａ，４２ｂは、弾性片２５１ａ上の仮係止解除用隆起部２６に当接することにより、図１２に示すように、弾性片２５１ａをハウジング収容部２３ａの内側面から離間する方向に撓ませて、仮係止を解除する。
【００４３】
仮係止解除手段である上下一対の板状部４２ａ，４２ｂによって仮係止が解除されたインナーハウジング２１は、図１３に示すように、フロントホルダ２２の先端面が回路基板３０に当接するまで、弾発部材２４の付勢力によって回路基板３０側に押し出される。
【００４４】
このインナーハウジング２１の押し出しにより、フロントホルダ２２の先端に突出していた端子金具１０の接点接触片１２は、回路基板３０の表面の接点パターン３１に突き当てられ、端子金具１０と接点パターン３１とが導通状態になる。接点パターン３１に突き当たった接点接触片１２は、端子金具１０に装備されているばね板部１１ｂ（図７参照）の弾性変形により、接点パターン３１との接触圧を保ったまま、端子本体１１内に後退する。
【００４５】
左右一対の板状部４２ｃ．４２ｄは、突き当てコネクタ２０をコネクタ係止部材４０に係止させる際に、図１１に示すように、ハウジング収容部２３ａの内側面２３２とインナーハウジング２１との間の隙間Ｓ２に進入する。
【００４６】
前述の一対の基板係止片４１は、一対の板状部４２ｃ．４２ｄの前縁に延設されている。
【００４７】
本係止用孔４３は、左右一対の板状部４２ｃ．４２ｄに貫通形成されている。この本係止用孔４３は、インナーハウジング２１の仮係止が解除されて、図１３及び図１４に示すようにフロントホルダ２２の先端が回路基板３０に当接したときに、インナーハウジング２１の両側面に形成された本係止片２１７を係止して、インナーハウジング２１をコネクタ係止部材４０に固定した状態にする。
【００４８】
以上に説明した一実施形態の突き当てコネクタの基板接続構造では、突き当てコネクタ２０は、回路基板３０に取り付けられたコネクタ係止部材４０に係止させるまでは、図８に示したように、仮係止機構２５によって、インナーハウジング２１を仮係止させておくことができる。そして、インナーハウジング２１が仮係止されている状態では、インナーハウジング２１に保持されている突き当て型の端子金具１０は、該端子金具１０の先端の接点接触片１２がアウターハウジング２３内に引っ込んだ状態に維持されている。従って、突き当てコネクタ２０の搬送時等に、端子金具１０の先端に外部の機材が衝突することを回避して、端子金具１０が変形することを防止することができる。
【００４９】
また、一実施形態の突き当てコネクタの基板接続構造では、突き当てコネクタ２０は、回路基板３０に取り付けられたコネクタ係止部材４０に係止させると、コネクタ係止部材４０に備えられている仮係止解除手段である上下一対の板状部４２ａ，４２ｂにより、インナーハウジング２１の仮係止状態が解除される。そして、仮係止状態が解除されたインナーハウジング２１は、弾発部材２４による付勢力で端子金具１０の突き当て方向に押し出され、インナーハウジング２１に保持されている突き当て型の端子金具１０の先端が回路基板３０表面の接点パターン３１に突き当てられて、突き当てコネクタ２０内の端子金具１０が回路基板３０表面の接点パターン３１に導通接続された状態となる。
【００５０】
また、一実施形態の突き当てコネクタの基板接続構造では、弾発部材２４による付勢力が解除されて、端子金具１０の接点接触片１２が回路基板３０表面の接点パターン３１に突き当てられたときの衝撃で、接点接触片１２及び接点パターン３１の表面に存在していた酸化皮膜が破壊されて除去される。これにより、導通時の抵抗上昇を抑制することができる。
【００５１】
即ち、一実施形態の突き当てコネクタの基板接続構造では、回路基板３０へのハンダ付け作業が必要となる基板用コネクタが不要なため、突き当てコネクタ２０に収容した突き当て型の端子金具１０を簡単に回路基板３０上の接点パターンに接続することができる。
【００５２】
また、一実施形態の突き当てコネクタの基板接続構造では、コネクタ係止部材４０に備える仮係止解除手段は、突き当てコネクタ２０のハウジング収容部２３ａの内側面に沿って延出する単純な板状部４２ａ，４２ｂで済むため、コネクタ係止部材４０の構造を単純化することができる。
【００５３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
例えば、前述した実施形態では、本係止状態の時には、フロントホルダ２２の先端が回路基板３０に当接していたが、端子金具１０の接点接触片１２が回路基板３０上の接点パターン３１にしっかりと弾性接触していれば、フロントホルダ２２の先端は、回路基板３０の表面から離間していてもよい。換言すると、本係止状態の時には、突き当てコネクタ２０の先端（フロントホルダ２２の先端）が回路基板３０の表面に近接した状態に位置決めするようにしても良い。
【００５５】
ここで、上述した本発明に係る突き当てコネクタの基板接続構造の実施形態の特徴をそれぞれ以下［１］〜［２］に簡潔に纏めて列記する。
【００５６】
［１］  先端に接点接触片（１２）が突設された突き当て型の端子金具（１０）を収容した突き当てコネクタ（２０）と、回路基板（３０）に取り付けられて前記突き当てコネクタ（２０）の先端が前記回路基板（３０）の表面に当接又は近接した状態に前記突き当てコネクタ（２０）を係止するコネクタ係止部材（４０）と、を備え、前記突き当てコネクタ（２０）を前記コネクタ係止部材（４０）に係止させることで、前記突き当てコネクタ（２０）内の前記端子金具（１０）を前記回路基板（３０）の表面の接点パターン（３１）に突き当てた状態を得る突き当てコネクタの基板接続構造であって、
前記突き当てコネクタ（２０）は、前記接点接触片（１２）を先端から突出させた状態に前記端子金具（１０）を保持したインナーハウジング（２１）と、該インナーハウジング（２１）を前記端子金具（１０）の突き当て方向に沿って移動自在に収容するハウジング収容部（２３ａ）を有したアウターハウジング（２３）と、前記アウターハウジング（２３）内の前記インナーハウジング（２１）を前記端子金具（１０）の突き当て方向に付勢する弾発部材（２４）と、前記インナーハウジング（２１）を前記弾発部材（２４）に抗して前記ハウジング収容部（２３ａ）内で後退させたときに前記接点接触片（１２）が前記アウターハウジング（２３）内に引っ込んだ状態となる位置で前記インナーハウジング（２１）を前記ハウジング収容部（２３ａ）内に仮係止する仮係止機構（２５）と、を備え、
前記コネクタ係止部材（４０）は、前記突き当てコネクタ（２０）を係止する際に、前記仮係止機構（２５）による仮係止を解除する仮係止解除手段（４２ａ，４２ｂ）を備えていることを特徴とする突き当てコネクタの基板接続構造。
【００５７】
［２］  前記仮係止機構（２５）は、前記ハウジング収容部（２３ａ）の内側面に沿って前記インナーハウジング（２１）の外側面から前記突き当て方向と逆方向に延出した弾性片（２５１ａ）と、該弾性片（２５１ａ）の先端に突設されて前記ハウジング収容部（２３ａ）の内側面に凹んで形成された仮係止用凹部（２５２）に係合することで前記インナーハウジング（２１）を仮係止位置に停止させる仮係止突起（２５１ｂ）と、を備え、
前記仮係止解除手段は、前記突き当てコネクタ（２０）を前記コネクタ係止部材（４０）に係止させる際に、前記ハウジング収容部（２３ａ）の内側面（２３１）と前記弾性片（２５１ａ）との間に進入する板状部（４２ａ、４２ｂ）を備え、前記板状部（４２ａ、４２ｂ）により前記弾性片（２５１ａ）を前記ハウジング収容部（２３ａ）の内側面（２３１）から離間する方向に撓ませて、仮係止を解除する、
ことを特徴とする上記［１］に記載の突き当てコネクタの基板接続構造。
【符号の説明】
【００５８】
１０  端子金具
１２  接点接触片
２０  突き当てコネクタ
２１  インナーハウジング
２３  アウターハウジング
２３ａ  ハウジング収容部
２４  弾発部材
２５  仮係止機構
３０  回路基板
３０ａ  表面
３１  接点パターン
４０  コネクタ係止部材
４２ａ，４２ｂ  板状部（仮係止解除手段）
２５１ａ  弾性片
２５１ｂ  仮係止突起
２５２  仮係止用凹部
【図１】
2014154285.tif 000003
【図２】
2014154285.tif 000004
【図３】
2014154285.tif 000005
【図４】
2014154285.tif 000006
【図５】
2014154285.tif 000007
【図６】
2014154285.tif 000008
【図７】
2014154285.tif 000009
【図８】
2014154285.tif 000010
【図９】
2014154285.tif 000011
【図１０】
2014154285.tif 000012
【図１１】
2014154285.tif 000013
【図１２】
2014154285.tif 000014
【図１３】
2014154285.tif 000015
【図１４】
2014154285.tif 000016
【図１５】
2014154285.tif 000017
【図１６】
2014154285.tif 000018